(57)【要約】【課題】デモモードで動作しているときでも使用者が機能及び操作を確認しやすい電気機器を得る。【解決手段】透過性を有するパネル２４の下に設けられた複数の操作入力部３０１〜３１２と、パネル２４の下に設けられ、複数の操作入力部３０１〜３１２のうち操作入力を受け付けることができるものを表示するとともに操作入力を受け付けることができないものを非表示にする操作表示装置１６とを備え、通常動作モード及び通常動作モードよりも機能が制限されたモードであるデモモードとが選択的に実行されるものであって、デモモードにおいては、開始トリガーが検出されると、操作表示装置１６はすべての操作入力部３０１〜３１２を表示する全表示状態に移行し、その後、操作入力部３０１〜３１２のいずれかが操作入力を受け付けると、全表示状態に続くデモ動作を実行する。【選択図】図５
2014185789.tif 000002
【特許請求の範囲】
【請求項１】
透過性を有するパネルの下に設けられた複数の操作入力部と、
前記パネルの下に設けられ、前記複数の操作入力部のうち操作入力を受け付けることができるものを表示するとともに操作入力を受け付けることができないものを非表示にするように切り替えて表示する操作表示部とを備え、
通常動作モード及び前記通常動作モードよりも機能が制限されたモードであるデモモードとが選択的に実行されるものであって、
前記デモモードにおいては、
開始トリガーが検出されると、前記操作表示部はすべての前記操作入力部を表示する全表示状態に移行し、その後、前記操作入力部のいずれかが操作入力を受け付けると、前記全表示状態に続くデモ動作を実行する
ことを特徴とする電気機器。
【請求項２】
前記通常動作モードから前記デモモードへの遷移を指示する操作入力を、前記開始トリガーの一つとする
ことを特徴とする請求項１記載の電気機器。
【請求項３】
人感センサを備え、
前記人感センサが人を一定時間感知しなかったことを、前記開始トリガーの一つとする
ことを特徴とする請求項１又は請求項２に記載の電気機器。
【請求項４】
前記操作入力部に一定時間操作入力がなされなかったことを、前記開始トリガーの一つとする
ことを特徴とする請求項１〜請求項３のいずれか一項に記載の電気機器。
【請求項５】
前記操作表示部は、前記全表示状態の表示を行う際には、前記通常動作モードよりも輝度及び照度のいずれか又は両方を低下させる
ことを特徴とする請求項１〜請求項４のいずれか一項に記載の電気機器。
【請求項６】
前記デモモードのデモ動作の一つとして、定められた順番で前記操作表示部が表示を切り替える自動デモを有する
ことを特徴とする請求項１〜請求項５のいずれか一項に記載の電気機器。
【請求項７】
前記デモモードにおいて前記操作表示部の表示の切り替えに連動して音声を出力する音声出力部を備えた
ことを特徴とする請求項１〜請求項６のいずれか一項に記載の電気機器。
【請求項８】
前記自動デモにおいては、
前記音声出力部は、使用者が行うべき操作入力を音声で出力し、続けて前記操作表示部が、前記音声で出力された操作入力が行われた場合の表示を行う
ことを特徴とする請求項６に従属する請求項７記載の電気機器。
【請求項９】
前記デモモードにおいて、当該電気機器の機能、製造者情報、型番、及び価格のいずれか一以上の情報を音声で出力する音声出力部を備えた
ことを特徴とする請求項１〜請求項８のいずれか一項に記載の電気機器。
【請求項１０】
文字又は絵で情報を表示する情報表示部を備え、
前記デモモードにおいては、前記操作表示部の表示の切り替えに連動した情報を表示する
ことを特徴とする請求項１〜請求項９のいずれか一項に記載の電気機器。
【請求項１１】
前記情報表示部は、前記デモモードにおいて、当該電気機器の機能、製造者情報、型番、及び価格のいずれか一以上の情報を表示する
ことを特徴とする請求項１０記載の電気機器。
【請求項１２】
前記電気機器は、天板上又は加熱庫内の被加熱物を加熱する加熱手段を備えた加熱調理器である
ことを特徴とする請求項１〜請求項１１のいずれか一項に記載の電気機器。
【請求項１３】
前記デモモードのデモ動作の一つとして、前記操作入力部への操作入力に応じて前記操作表示部が表示を切り替える手動デモを有し、
前記全表示状態のときに前記操作入力部のいずれかが操作入力を受け付けた後、前記手動デモを実行する際には、前記操作表示部は最初に、前記加熱手段に加熱を開始させるための前記操作入力部を、操作入力を受け付けることができる状態で表示する
ことを特徴とする請求項１２記載の電気機器。
【請求項１４】
前記電気機器は、炊飯器である
ことを特徴とする請求項１〜請求項１１のいずれか一項に記載の電気機器。
【請求項１５】
前記電気機器は、食器洗浄機である
ことを特徴とする請求項１〜請求項１１のいずれか一項に記載の電気機器。
【発明の詳細な説明】
【技術分野】
【０００１】
本発明は、使用者の操作入力を受け付ける操作入力部を備えた電気機器に関する。
【背景技術】
【０００２】
加熱調理器や炊飯器、食器洗浄機等の操作部を備えた電気機器は、家電量販店等の店頭で展示販売される。このとき、購入希望者が店頭で実際にそれら電気機器の操作を試すことができるように、デモモードを有する電気機器が提案されている。そのような電気機器として、「操作部のキー操作に基づいて、加熱手段を制御して通常の加熱調理を行う通常調理モードまたは加熱手段の制御を禁止して模擬加熱調理を行う店頭デモモードのいずれかを選択し、選択されたモードを実行する」加熱調理器が提案されている（例えば、特許文献１参照）。
【０００３】
また昨今の電気機器は、高機能化に伴い、多様な操作入力が行えるように操作パネルに複数の操作入力部が設けられている。ところが、操作パネルに設けられた操作入力部の数が増えると、操作も複雑になって使用者に混乱を来すおそれがある。このような課題を背景として、透明電極を有するタッチスイッチの下に液晶パネルで構成された表示部を配置し、操作に必要な入力操作キーを表示部に表示した加熱調理器が提案されている（例えば、特許文献２参照）。
【先行技術文献】
【特許文献】
【０００４】
【特許文献１】特許第３７９１６０３号公報（第３−第５頁）
【特許文献２】特許第４９０２４６７号公報（第３−第７頁）
【発明の概要】
【発明が解決しようとする課題】
【０００５】
操作に必要な入力操作キーだけを表示する特許文献２に記載のような電気機器は、使用者が通常操作を行う際には迷いなく操作できるので、使い勝手がよい。しかしながら、その電気機器が持つ多種多様な機能を実行する操作を行うまでは、各機能に対応した操作入力キーが表示されない。特許文献１のような店頭デモモードで店頭に展示されているときには、購入希望者は電気機器の機能の多くを知りたいし、また販売者も購入希望者に機能の多くを伝えたいが、購入希望者が多くの機能を知るためには実際に各機能を実行する操作を行わなくてはならない。このため、使用者は、電気機器が持つ機能の多くを店頭デモモードで知ることが困難であった。店頭やショールーム等の展示の場面では、電気機器の機能を説明する説明員を配置したり、機能を記載した展示用の看板や貼り紙を電気機器に貼り付けたりすることもできるが、それらのコストがかかってしまう。
【０００６】
本発明は、上記のような課題を背景としてなされたものであり、デモモードで動作しているときでも使用者が電気機器の機能を確認しやすい電気機器を提供するものである。
【課題を解決するための手段】
【０００７】
本発明に係る電気機器は、透過性を有するパネルの下に設けられた複数の操作入力部と、前記パネルの下に設けられ、前記複数の操作入力部のうち操作入力を受け付けることができるものを表示するとともに操作入力を受け付けることができないものを非表示にするように切り替えて表示する操作表示部とを備え、通常動作モード及び前記通常動作モードよりも機能が制限されたモードであるデモモードとが選択的に実行されるものであって、前記デモモードにおいては、開始トリガーが検出されると、前記操作表示部はすべての前記操作入力部を表示する全表示状態に移行し、その後、前記操作入力部のいずれかが操作入力を受け付けると、前記全表示状態に続くデモ動作を実行するものである。
【発明の効果】
【０００８】
本発明によれば、デモモードにおいて開始トリガーが検出されると、操作表示部はすべての操作入力部を表示するので、デモモードを見る使用者は、電気機器が有する機能を容易に把握することができる。したがって、例えば店頭やショールームでの説明員や展示用の印刷物を省略することができ、展示に係るコストを低減することができる。
【図面の簡単な説明】
【０００９】
【図１】実施の形態１に係るキッチン１００に設置された電気機器を示す図である。
【図２】実施の形態１に係る誘導加熱調理器２００の斜視図である。
【図３】実施の形態１に係る誘導加熱調理器２００の機能ブロック図である。
【図４】実施の形態１に係る操作パネル３を示す図である。
【図５】実施の形態１に係るデモモードにおける操作パネル３の動作例を説明する図である。
【図６】実施の形態１の変形例に係る誘導加熱調理器２００の斜視図である。
【図７】実施の形態２に係る操作表示装置１６Ａの機能ブロック図である。
【図８】実施の形態２に係る操作パネル３を示す図である。
【図９】実施の形態２に係るデモモードにおける操作パネル３の動作例を説明する図である。
【発明を実施するための形態】
【００１０】
以下、本発明に係る電気機器の実施の形態を、図面に基づいて説明する。なお、以下に示す図面の形態によって本発明が限定されるものではない。また、以下の説明において、理解を容易にするために方向を表す用語（例えば「上」、「下」、「右」、「左」、「前」、「後」など）を適宜用いるが、これは説明のためのものであって、これらの用語は本願発明を限定するものではない。また、各図において、同一の符号を付したものは、同一の又はこれに相当するものであり、このことは明細書の全文において共通している。
【００１１】
実施の形態１．
（キッチン内の電気機器）
図１は、実施の形態１に係るキッチン１００に設置された電気機器を示す図である。図１に示すキッチン１００には、電気機器として、操作パネル３を備えた誘導加熱調理器２００、操作パネル３Ａを備えた炊飯器３００、及び操作パネル３Ｂを備えた食器洗浄機４００が設置されている。誘導加熱調理器２００、炊飯器３００、及び食器洗浄機４００は、通常動作モードとデモモードという２つの動作モードを有しているという点で共通している。
【００１２】
ここで、通常動作モードとは、電気機器がその本来の機能を発揮するように動作する動作モードをいい、誘導加熱調理器２００及び炊飯器３００においては、被加熱物の加熱を行う加熱手段が動作し、食器洗浄機４００においては洗浄槽内に水を噴射する水噴射手段が動作する。
【００１３】
デモモード（デモンストレーションモード）とは、電気機器の機能のうち一部の機能が実行されない動作モードをいう。誘導加熱調理器２００及び炊飯器３００においては、加熱手段や電動機などは動作せず、操作入力や表示及び音声を用いた報知に関わる機能が実行される。また、食器洗浄機４００においては、水噴射手段は動作せず、操作入力や表示及び音声を用いた報知に関わる機能が実行される。このデモモードは、店頭やショールームなどに電気機器を展示する際に利用される。店頭やショールームにおいては、購入希望者（以下、使用者）が電気機器を実際に操作できることが望まれるが、加熱手段や水噴射手段等が実際に動作すると不都合が生じうる。また、例えば誘導加熱調理器２００が加熱動作を行う際には一般に２００Ｖ電源が必要とされるところ、店頭やショールームにおいては必要な電源が得られないこともある。そこで、デモモードにおいては、一部の機能を制限しつつ、使用者が電気機器の使用体験を得られるようにしている。
【００１４】
以下、本実施の形態１では、電気機器の一例として誘導加熱調理器２００の構成を説明するとともに、デモモードについて説明する。
【００１５】
（誘導加熱調理器の構成）
図２は、実施の形態１に係る誘導加熱調理器２００の斜視図である。誘導加熱調理器２００は、箱状の本体１と、本体１の上に配置され鍋等の被加熱物が載置される天板２とを備える。天板２は、全体が厚さ４ｍｍ程度の耐熱強化ガラスや結晶化ガラス等の材料で構成されており、本体１の上面開口外周との間にゴム製パッキンやシール材を介して水密状態に固定される。天板２自体は透明な素材であるが、天板２を通して本体１の内部が露見しないように、天板２の裏面から目隠し用の印刷もしくは塗装が施されている。本実施の形態１に係る誘導加熱調理器２００は、天板２上に２つの加熱口５を備えている。天板２の手前側には、操作表示装置１６（図３参照）の前面にタッチパネルが組み合わされて構成された操作パネル３が、加熱口５毎に設けられている。天板２の手前側の左右略中央には、誘導加熱調理器２００の動作状態、操作パネル３にて設定された情報、使用者へ報知すべき情報等を表示する情報表示装置４が設けられている。本体１の内部には、開閉自在の扉を有する加熱庫であるグリル６が設けられている。
【００１６】
図３は、実施の形態１に係る誘導加熱調理器２００の機能ブロック図である。誘導加熱調理器２００は、制御装置７と、温度検出回路８と、インバータ回路９と、加熱コイル１０と、グリルヒーター駆動回路１１と、グリルヒーター１２と、触媒ヒーター駆動回路１３と、触媒ヒーター１４と、タッチスイッチ１５と、表示部駆動回路１７及びＬＥＤ１８を有する操作表示装置１６と、表示部駆動回路１９及び液晶画面２０を有する情報表示装置４と、音声合成回路２１と、スピーカー２２とを備える。
【００１７】
制御装置７は、１又は複数のマイクロコンピュータを内蔵しており、商用電源（図示せず）から電源が供給されて、誘導加熱調理器２００の各部を制御する制御手段の中心的な役割を果たす。
【００１８】
温度検出回路８は、天板２の上に載置される被加熱物の温度を検知する温度センサ（図示せず）、及びグリル６の庫内温度を検出する温度センサ（図示せず）等から出力される信号を取得し、各部の温度情報として制御装置７に出力する。
【００１９】
インバータ回路９及び加熱コイル１０は、加熱口５の上に載置される鍋等の被加熱物を誘導加熱する加熱手段である。インバータ回路９は、制御装置７から出力される制御信号に基づいてスイッチング素子をオン、オフ制御し、加熱コイル１０に高周波電流を供給する。加熱コイル１０に高周波電流が供給されると、天板２の加熱口５の上に載置された被加熱物に渦電流が流れ、被加熱物が加熱される。図３では一組のインバータ回路９及び加熱コイル１０を示しているが、２つの加熱口５のそれぞれに対応して二組のインバータ回路９及び加熱コイル１０が設けられており、各インバータ回路９は制御装置７によって個別に駆動される。
【００２０】
グリルヒーター駆動回路１１及びグリルヒーター１２は、グリル６内に収容される被加熱物を加熱する加熱手段である。グリルヒーター１２は、輻射式の電気加熱源である。グリルヒーター駆動回路１１は、制御装置７に制御されて、グリルヒーター１２を駆動する。
【００２１】
触媒ヒーター駆動回路１３及び触媒ヒーター１４は、グリル６からの排気通路内に配置された脱臭用の触媒（図示せず）を加熱する加熱手段である。触媒ヒーター駆動回路１３は、制御装置７に制御されて、触媒ヒーター１４を駆動する。
【００２２】
タッチスイッチ１５及び操作表示装置１６は、図２に示した操作パネル３を構成する部材である。操作パネル３は、操作表示装置１６の前面に、タッチスイッチ１５を有するタッチパネル（図示せず）が組み合わされて構成されている。図３ではタッチスイッチ１５と操作表示装置１６を一つずつ図示しているが、本実施の形態１では図２に示したように２つの加熱口５それぞれに対応して２つの操作パネル３が設けられており、タッチスイッチ１５と操作表示装置１６も２つずつ設けられている。また、図示しないが、グリル６に対する操作入力を行う操作パネル３も設けられている。
【００２３】
タッチパネルは、透過性を有するパネルと、使用者の指等が触れた位置を検出するタッチスイッチ１５とを有する。タッチパネルには、静電容量方式、光学方式、超音波方式、抵抗膜方式等、種々の方式のものがあるが、任意の方式のものを用いることができる。例えば静電容量方式のタッチパネルを採用する場合には、天板２の一部をタッチパネルのパネルとして用いる。この場合、光が透過する天板２の裏面に、透明性の導電性フィルムなどの電極で構成された操作入力部としてのタッチスイッチ１５を複数配置し、その下に操作表示装置１６を配置することができる。このようにすると、透明な電極はその下に配置される操作表示装置１６の表示を妨げないので、操作表示装置１６に画面表示される表示の上（天板２の上）を使用者が触って操作することができる。そして、使用者の指などが、電極の配置位置に対応する天板２の上面に接触すると、電極の静電容量の変化によりタッチスイッチ１５が使用者の操作入力を検知し、検知した情報を制御装置７に出力する。なお、本実施の形態１では、静電容量方式のタッチパネルを例に説明し、天板２のうちタッチパネルのパネルとして用いられる部分をパネル２４（図４参照）と称する。なお、タッチスイッチ１５を構成する電極は、透明性を有するものに限定されない。
【００２４】
操作表示装置１６は、ＬＥＤ（発光ダイオード）１８と、ＬＥＤ１８を駆動する表示部駆動回路１７とを備え、本発明の操作表示部に相当する。詳細は後述するが、ＬＥＤ１８の点灯状態と消灯状態とを切り替えることにより、パネル２４の上から操作入力可能な操作入力部３０１〜３１２が視認される（図４参照）。なお、ＬＥＤ１８に代えて、任意の発光手段を用いてもよい。
【００２５】
情報表示装置４は、誘導加熱調理器２００の動作状態、操作パネル３にて設定された情報、使用者へ報知すべき情報等を表示するものであり、本発明の情報表示部に相当する。情報表示装置４は、液晶画面２０と、液晶画面２０を駆動する表示部駆動回路１９とを備える。
【００２６】
音声合成回路２１及びスピーカー２２は、各種情報を使用者に聴覚的に報知する音声出力部である。音声合成回路２１は、制御装置７によって制御され、報知すべき音声を合成する。音声合成回路２１が合成した音声信号は、スピーカー２２に出力され、スピーカー２２から音声が出力される。
【００２７】
（操作パネルの構成）
図４は、実施の形態１に係る操作パネル３を示す図である。図４では、右側の加熱口５に対応した操作パネル３を示しているが、左側の加熱口５に対応した操作パネル３も同様の構成である。パネル２４は、厚さ４ｍｍ程度の透過性を有するガラス板からなる天板２の一部である。このパネル２４の裏面の全体には、黒色、グレー、ベージュ等の任意の色の塗装が施されており、操作入力すべき位置を示す枠と、その操作入力に対応する機能を示す文字については、その塗装は施されておらず抜かれている。パネル２４の裏面に印刷された枠に対応した位置には、電極を有するタッチスイッチ１５が配置されており、これ以降の説明では、タッチスイッチ１５の各々が配置された領域を、操作入力部３０１〜３１２と区別して称する。
【００２８】
パネル２４の下には、操作入力部３０１〜３１２に対応した位置、より詳しくはパネル２４において枠や文字を表現するために印刷が抜かれた箇所に光が当たるようにして、ＬＥＤ１８（図３参照）が配置されている。ＬＥＤ１８（図３参照）が点灯すると、パネル２４の印刷が抜かれた箇所に光が当たり、パネル２４の上側からは操作入力部３０１〜３１２を示す枠や文字が点灯しているように視認される構成である。各ＬＥＤ１８は、個別に点灯、消灯、及び減光が切り替えられる。
【００２９】
図４（ａ）は、すべてのＬＥＤ１８が点灯していてすべての操作入力部３０１〜３１２が視認可能な状態を示している。一方、図４（ｂ）は、すべてのＬＥＤ１８が消灯していて操作入力部３０１〜３１２が視認できない状態を示している。誘導加熱調理器２００の電源がＯＦＦのときには、図４（ｂ）に示すように操作パネル３の操作入力部３０１〜３１２は使用者には見えない状態になっている。
【００３０】
通常動作モードで動作しているときには、そのときに操作入力可能な操作入力部のみが表示されるようになっており、図４（ｃ）の例では操作入力部３１１のみが表示されている。このように、操作入力を受け付けることのできる操作入力部と、操作入力を受け付けることができない操作入力部とを区別して表示し、操作入力部のみを使用者に視認可能にすることで、使用者が迷い無く操作できるようにしている。
【００３１】
（デモモードの動作）
誘導加熱調理器２００のデモモードの動作を説明する。本実施の形態１のデモモードには、手動デモと自動デモという２種類のデモ動作があり、誘導加熱調理器２００に設けられたスイッチ（図示せず）等を切り替えることで、いずれかが選択的に実行される。手動デモは、操作パネル３への使用者の操作入力に応じて、誘導加熱調理器２００が表示及び音声報知等に関するデモ動作を行うものである。自動デモは、使用者が操作パネル３に操作入力を行わなくとも、誘導加熱調理器２００が自動的に一連の操作入力が行われた場合の表示及び音声報知等に関するデモ動作を行うものである。
【００３２】
まず、手動デモについて説明する。
図５は、実施の形態１に係るデモモードにおける操作パネル３の動作例を説明する図である。
通常動作モードで動作している状態において、制御装置７が、操作パネル３に対する特殊操作、あるいは専用のデモモード開始スイッチへの入力等、デモモードの開始を指示する操作入力を検出すると、その操作入力を開始トリガーとして、デモモードでの動作を開始する。ここでは、予め手動デモを実行するような設定がなされているものとする。
【００３３】
図５（ａ）は、手動デモを開始した状態の操作パネル３を示している。手動デモを開始すると、操作パネル３は、すべての操作入力部３０１〜３１２を表示させる。このように操作パネル３を全表示状態にすることで、操作パネル３への操作で実行されるすべての機能を使用者に示すことができる。図４を参照して上述した通り、操作入力部３０１〜３１２は、操作可能なもののみが選択的に表示されるようになっており、通常動作モードにおいては使用者に迷いのない操作を促すことができるが、店頭やショールームなどでの展示シーンにおいては、操作入力部の一部しか表示されていないと、使用者は誘導加熱調理器２００のすべての機能を把握しにくい。しかし、本実施の形態１のように、手動デモを開始したときにすべての操作入力部３０１〜３１２を視認可能にすることで、使用者は知りたい情報を一覧して得ることができる。
【００３４】
図５（ａ）の表示と同期して、スピーカー２２にて使用者の操作を促す音声を出力する。例えば、「デモモードで動作しています。操作してください。」等の音声を出力して、デモモードで操作していることを使用者に知らせる。このように操作パネル３におけるデモ動作と連動して音声を出力することで、使用者に誘導加熱調理器２００の機能及び操作方法をより分かりやすく伝えることができる。
【００３５】
図５（ａ）の状態で、操作パネル３の操作入力部３０１〜３１２のいずれかに操作入力がなされると、操作パネル３は、図５（ｂ）に示す表示に遷移する。
【００３６】
図５（ｂ）は、図５（ａ）の状態で何らかの操作入力が行われたときの表示例を示している。図５（ｂ）の例では、操作パネル３は、右側の加熱口５での加熱を開始する前の待機状態の表示を行っており、加熱の「切／入」を設定する操作入力部３１１が表示されている。このように、手動デモにおいて最初に何らかの操作入力が行われたとき、すなわち店頭等で誘導加熱調理器２００の前で足を止めた使用者が操作を行ったときに、加熱口５で加熱を行う際に最初に操作すべき操作入力部３１１を表示することで、使用者が操作する際の迷いを低減することができる。なお、図５（ｂ）では一つの操作入力部（操作入力部３１１）を表示する例を示しているが、加熱手段の動作仕様に応じて、操作入力が可能な操作入力部であれば複数の操作入力部を表示してもよい。
【００３７】
図５（ｂ）の表示と同期して、スピーカー２２にて使用者に操作を促す音声を出力する。例えば、「調理を始めるには使いたいヒーターの切入のボタンを押してください」等の音声を出力する。
【００３８】
図５（ｂ）の状態で、操作入力部３１１に操作入力が行われると、操作パネル３は、図５（ｃ）の表示に遷移する。
【００３９】
図５（ｃ）は、加熱の「切／入」を設定する操作入力部３１１に対して加熱開始を指示する操作入力が行われた後の状態を示している。図５（ｃ）の例では、操作パネル３は、調理モードを選択する操作入力部３０９と、火力を上昇させる操作入力部３１０と、加熱の切入を設定する操作入力部３１１と、火力を低下させる操作入力部３１２とを表示している。
【００４０】
図５（ｃ）の表示と同期して、スピーカー２２にて使用者に次の操作を促す音声を出力する。例えば、「調理を始めるには、火力のボタンを押してください。調理メニューを選ぶときはモードのボタンを押してください。」等の音声を出力する。
【００４１】
図５（ｃ）の状態で、操作入力部３０９に操作入力が行われると、操作パネル３は、図５（ｄ）の表示に遷移する。
【００４２】
図５（ｄ）は、調理モードを設定する操作入力部３０９に操作入力が行われた後の状態を示している。図５（ｄ）に示すように、操作パネル３には、調理モードとして設定可能な機能に対応した操作入力部３０１〜３０６が表示される。具体的には、タイマー調理を示す操作入力部３０１、煮込み調理を示す操作入力部３０２、揚げ物調理を示す操作入力部３０３、予熱調理を示す操作入力部３０４、ゆでもの調理を示す操作入力部３０５、湯沸かし調理を示す操作入力部３０６が表示される。また、操作入力部３０９〜３１２も表示を継続している。
【００４３】
図５（ｄ）の表示と同期して、スピーカー２２にて使用者に操作を促す音声を出力する。例えば、「調理メニューを選んでください。」等の音声を出力する。
【００４４】
図５（ｄ）の状態で、揚げ物調理を示す操作入力部３０３に操作入力が行われると、操作パネル３は、図５（ｅ）の表示に遷移する。
【００４５】
図５（ｅ）は、揚げ物調理を示す操作入力部３０３に操作入力が行われた後の状態を示している。図５（ｅ）に示すように、操作パネル３には、揚げ物調理であることを示す操作入力部３０３と、火力を上昇させる操作入力部３１０と、加熱の切入を設定する操作入力部３１１と、火力を低下させる操作入力部３１２とが表示される。
【００４６】
図５（ｅ）の表示と同期して、スピーカー２２にて使用者に次の操作を促す音声を出力する。例えば、「１８０℃で予熱を始めます。揚げ物の温度は上げ下げのボタンを押すことで変えられます。」等の音声を出力する。デモモードであるので実際には加熱は行われないが、このような音声を出力することで、使用者は誘導加熱調理器２００の実際の動きを体験することができる。
【００４７】
手動デモでの動作中において、所定の期間、使用者から操作入力が行われなかった場合には、操作パネル３は、すべての操作入力部３０１〜３１２を表示状態にする。具体的には、制御装置７に設けられた図示しないタイマーにて、操作パネル３に最後に操作入力が行われてからの経過時間を計測し、経過時間が閾値を超えたことを開始トリガーとして、操作パネル３は、すべての操作入力部３０１〜３１２を表示状態にする。このようにすることで、手動デモを体験していた使用者が立ち去った後には、他の使用者に対して誘導加熱調理器２００の機能を伝えることができる。
【００４８】
また、人感センサを誘導加熱調理器２００に設け、手動デモでの動作中において、人感センサが人の存在を感知しない時間が閾値を超えた場合に、それを開始トリガーとして、操作パネル３が、すべての操作入力部３０１〜３１２を表示状態にする。図６は、実施の形態１の変形例に係る誘導加熱調理器２００の斜視図である。図６に示す例では、本体１の前面に、人の存在の有無を検知する人感センサ２６が設けられている。この人感センサ２６は、誘導加熱調理器２００の概ね前方を検知視野とし、視野内の人の存在の有無を示す信号を、制御装置７に出力する。このように人感センサ２６が人の存在を感知しない時間が閾値を超えたときにすべての操作入力部３０１〜３１２を表示することで、店頭やショールームにおいて使用者が入れ替わった場合でも、新たな使用者に対して誘導加熱調理器２００の機能を速やかに知らしめることができる。
【００４９】
次に、自動デモについて説明する。
通常動作モードで動作している状態において、制御装置７が、操作パネル３に対する特殊操作、あるいは専用のデモモード開始スイッチへの入力等、自動デモの開始を指示する操作入力を検出すると、その操作入力を開始トリガーとして、自動デモを開始する。
【００５０】
自動デモを開始すると、操作パネル３は、手動デモと同様に図５（ａ）に示すように、すべての操作入力部３０１〜３１２を表示させる全表示状態に移行する。このようにすることで、誘導加熱調理器２００の操作パネル３のすべての機能を使用者に示すことができる。
【００５１】
操作パネル３においてすべての操作入力部３０１〜３１２が表示された状態で、操作パネル３の操作入力部３０１〜３１２のいずれかに操作入力がなされると、自動デモを開始し、予め記憶装置（図示せず）に記憶されたデモモードのパターンに従って操作パネル３の操作入力部３０１〜３１２の表示と非表示とを順番に適宜切り替える。このとき、使用者が操作パネル３を操作しなくとも、操作パネル３は所定の操作を受け付けたときと同様にして操作入力部３０１〜３１２の表示、非表示を順次切り替えていく。
【００５２】
使用者が実際に操作を行わなくとも、操作を受けたときと同様の動作を誘導加熱調理器２００が自動的に行う自動デモを設けることで、説明員のいない無人展示の場面においても、使用者の興味を惹きつける効果を増大させることができるとともに、効率的に誘導加熱調理器２００の説明を行うことができる。したがって、誘導加熱調理器２００の展示に係る人件費及び販促ツール（貼り紙等）の費用を削減することができる。
【００５３】
なお、自動デモにおいても、手動デモと同様に、操作パネル３の表示の遷移に同期してスピーカー２２から音声を出力してもよい。また、複数の加熱口５及びグリル６に対応して設けられた複数の操作パネル３の自動デモを、順次実行してもよい。
具体的には例えば、まず「右側の加熱口をお使いになる場合は」のように自動デモを行う対象を特定する音声を出力し、続けて、右側の加熱口５の操作パネル３の操作入力部３０１〜３１２のすべてを表示させる。その後は、所定の操作手順にしたがって、使用者が行う操作を音声で出力し、その操作が行われたものとして操作パネル３が表示を切り替える。例えば、「右の加熱口の入切キーを押します」という音声を出力し、続けて、右側の加熱口５の操作パネル３は、右の加熱口５の入切キーである操作入力部３１１が操作されたときと同じ表示を行う。
そして、右側の加熱口５の操作パネル３に関する自動デモが終了すると、続けて、左側の加熱口５及びグリル６に関する自動デモを行う。
【００５４】
自動デモの一連のデモ動作が終了した後、所定の期間、使用者から操作入力が行われなかった場合には、操作パネル３は、すべての操作入力部３０１〜３１２を表示状態にする。具体的には、制御装置７に設けられた図示しないタイマーにて、自動デモの一連のデモが終了してからの経過時間を計測し、経過時間が閾値を超えたことを開始トリガーとして、操作パネル３は、すべての操作入力部３０１〜３１２を表示状態にする。このようにすることで、自動デモを見終わった使用者が立ち去った後には、他の使用者に対して誘導加熱調理器２００の機能を伝えることができる。
【００５５】
また、自動デモでの動作中において、図６に示した人感センサ２６が人の存在を感知しない時間が閾値を超えた場合に、それを開始トリガーとして、操作パネル３が、すべての操作入力部３０１〜３１２を表示状態にする。このように人感センサ２６が人の存在を感知しない時間が閾値を超えたときにすべての操作入力部３０１〜３１２を表示することで、店頭やショールームにおいて使用者が入れ替わった場合でも、新たな使用者に対して誘導加熱調理器２００の機能を速やかに知らしめることができる。
【００５６】
なお、デモモードにおいて開始トリガーを検出した場合に、操作パネル３がすべての操作入力部３０１〜３１２を表示状態にするときには、通常動作モードでの操作パネル３の表示と比べて、輝度及び照度のいずれか又は両方を低下させてもよい。このようにすることで、デモモードで動作している誘導加熱調理器２００の消費電力を低減することができる。店頭やショールームなど、複数の誘導加熱調理器２００や他の電気機器が設置されている環境であっても、消費電力を抑制しつつ、使用者への効率的な展示を行うことができる。
【００５７】
また、上記説明では、手動デモ及び自動デモにおいて、誘導加熱調理器２００の機能を操作パネル３に表示するとともに音声出力することを説明したが、デモモードに報知する情報はこれに限定されない。例えば、誘導加熱調理器２００の製造者の情報（製造メーカーの紹介文）、誘導加熱調理器２００の型番、価格及び概略の製品仕様のうち一以上の情報を、情報表示装置４やスピーカー２２にて報知してもよい。このようにすることで、説明員がいなくても、使用者に誘導加熱調理器２００に関する情報を伝えることができ、人件費を削減することができる。また、誘導加熱調理器２００に関する情報を表示する看板等の販売ツールを別途設けなくてもよいので、販売ツール製作に係るコストを削減することができる。
【００５８】
以上のように、本実施の形態１では、デモモードにおいて開始トリガーが検出されると、操作パネル３はすべての操作入力部３０１〜３１２を表示する全表示状態での表示を行う。このため、誘導加熱調理器２００に搭載されている機能であって操作パネル３で実行されるすべての機能を、使用者は一覧的に容易に得ることができる。したがって、店頭やショールームでの展示場面において、誘導加熱調理器２００の機能の紹介に要する説明員や貼り紙製作等のコストを低減することができる。
【００５９】
なお、本実施の形態１では、手動デモと自動デモとを選択的に切り替えて実行することを説明したが、手動デモと自動デモのいずれか一方を設けてもよい。
【００６０】
実施の形態２．
前述の実施の形態１では、操作パネル３に設けられた操作入力部３０１〜３１２は、予め決まった機能を有するものであった。一方、本実施の形態２で示す操作パネル３の操作入力部は、機能が切り替えられるものである。以下、実施の形態１との相違点を中心に説明する。
【００６１】
図７は、実施の形態２に係る操作表示装置１６Ａの機能ブロック図である。本実施の形態２では、操作パネル３の操作表示装置１６Ａは、図３で示したＬＥＤ１８に代えて、液晶画面２５を備えている。また、図３で示したＬＥＤ１８を駆動する表示部駆動回路１７に代えて、液晶画面２５を駆動する表示部駆動回路１７Ａを備えている。液晶画面２５は、ドットマトリクス型の液晶画面であり、任意の文字及び図形を表示できる。操作パネル３を操作するときに使用者が触れるパネル２４（天板２の一部）には、目隠し用の印刷及び塗装を設けず、天板２の上から操作表示装置１６の液晶画面２５を視認できるようにする。そのほかの構成については、図３と同様である。
【００６２】
操作表示装置１６Ａの表示部駆動回路１７Ａは、外部から電源供給を受けて表示部駆動回路１７Ａの各回路に電源を供給する電源回路１７１と、制御装置７との間で信号の授受を行うインターフェース部１７２と、表示用メモリー１７３と、表示コントローラー１７４と、コモンドライバー１７５と、セグメントドライバー１７６とを備える。表示コントローラー１７４は、液晶画面２５に表示する表示データを生成して表示用メモリー１７３に記憶させる。コモンドライバー１７５は、入力される水平同期信号に同期してコモン電極に印加する電圧を順次切り替え、セグメントドライバー１７６は、液晶画面２５のセグメント電極に表示用メモリー１７３の表示データに対応した電圧を印加する。
【００６３】
図８は、実施の形態２に係る操作パネル３を示す図である。
図８（ａ）は、誘導加熱調理器２００に電源が投入されておらず、液晶画面２５が表示を行っていない状態を示している。図８（ａ）に示すように、操作パネル３のパネル２４の裏面には、操作入力すべき位置を枠で示す印刷が施された操作入力部３０１Ａ〜３０８Ａが設けられている。パネル２４の下の操作入力部３０１Ａ〜３０８Ａに対応した位置には、タッチスイッチ１５の電極が配置されている。なお、操作入力部３０１Ａ〜３０８Ａに対応した枠をパネル２４に印刷で設けるのではなく、同様の枠を液晶画面２５に表示してもよい。
【００６４】
図８（ｂ）は、誘導加熱調理器２００に電源が投入され、操作パネル３の液晶画面２５に、操作入力部３０１Ａ〜３０８Ａにて入力可能な機能を示す表示がなされた状態を示している。液晶画面２５は、操作入力部３０１Ａ〜３０８Ａの表示内容を切り替えるとともに、制御装置７は、操作入力部３０１Ａ〜３０８Ａの表示内容の切り替えに合わせて操作入力部３０１Ａ〜３０８Ａが操作されたときの機能を切り替える。このように、本実施の形態２の操作パネル３は、各操作入力部３０１Ａ〜３０８Ａが複数の機能を有するので、操作パネル３の大型化を抑制しつつ、多種多様な操作入力を受け付けることができる。  
【００６５】
次に、実施の形態２に係る誘導加熱調理器２００のデモモードの動作を説明する。ここでは、手動デモを例に説明する。
図９は、実施の形態２に係るデモモードにおける操作パネル３の動作例を説明する図である。
通常動作モードで動作している状態において、制御装置７が、操作パネル３に対する特殊操作、あるいは専用のデモモード開始スイッチへの入力等、手動デモの開始を指示する操作入力を検出すると、その操作入力を開始トリガーとして、手動デモを開始する。
【００６６】
図９（ａ）は、手動デモを開始した状態の操作パネル３を示している。手動デモを開始すると、操作パネル３は、すべての操作入力部３０１Ａ〜３０８Ａを表示させる。本実施の形態２では、操作入力部３０１Ａ〜３０８Ａの機能及び表示が切り替えられるが、操作入力部３０１Ａ〜３０８Ａには使用者が最も頻繁に使う機能を示す表示を行うのが好ましい。このようにすることで、誘導加熱調理器２００の操作パネル３の機能を一覧的に使用者に示すことができる。
【００６７】
図９（ａ）の表示と同期して、スピーカー２２にて使用者の操作を促す音声を出力する。例えば、「デモモードで動作しています。操作してください。」等の音声を出力して、デモモードで操作していることを使用者に知らせる。
【００６８】
図９（ａ）の状態で、調理メニューを設定する操作入力部３０８Ａに操作入力が行われると、操作パネル３は、図９（ｂ）の表示に遷移する。
【００６９】
図９（ｂ）では、操作入力部３０１Ａ〜３０５Ａの表示が図９（ａ）から切り替わり、操作入力部３０１Ａ〜３０５Ａには設定可能な調理メニューが表示されている。
【００７０】
図９（ｂ）の表示と同期して、スピーカー２２にて使用者に次の操作を促す音声を出力する。例えば、「調理メニューを選んでください。」等の音声を出力する。
【００７１】
図９（ｂ）の状態で、揚げ物調理を示す操作入力部３０２Ａに操作入力が行われると、操作パネル３は、図９（ｃ）の表示に遷移する。
【００７２】
図９（ｃ）は、揚げ物調理を示す操作入力部３０２Ａに操作入力が行われた後の状態を示している。図９（ｃ）に示すように、操作パネル３には、揚げ物調理であることを示す操作入力部３０２Ａと、火力を低下させる操作入力部３０１Ａと、火力を上昇させる操作入力部３０５Ａと、タイマーを設定する操作入力部３０６Ａと、加熱の切入を設定する操作入力部３０７Ａと、調理メニューを設定する操作入力部３０８Ａとが表示される。
【００７３】
図９（ｃ）の表示と同期して、スピーカー２２にて使用者に次の操作を促す音声を出力する。例えば、「１８０℃で予熱を始めます。揚げ物の温度は上げ下げのボタンを押すことで変えられます。」等の音声を出力する。デモモードであるので実際には加熱は行われないが、このような音声を出力することで、使用者は誘導加熱調理器２００の実際の動きを体験することができる。
【００７４】
なお、詳細な説明は割愛するが、本実施の形態２においても、実施の形態１と同様に自動デモを行うことができる。
【００７５】
なお、本実施の形態２では、液晶画面２５にて操作表示装置１６Ａの操作入力部３０１Ａ〜３０８Ａの表示を実現する例を示したが、実施の形態１と同様に、パネル２４に施した印刷とパネル２４の下側に設けられるＬＥＤ等の発光手段とで、操作入力部３０１Ａ〜３０８Ａを表示することもできる。具体的には、透明な天板２の一部であるパネル２４の裏面に、黒色、グレー、ベージュ等の任意の色の塗装を施し、操作入力部３０１Ａ〜３０８Ａを示す枠と文字に相当する部分については塗装を施さずに抜いておく。このとき、一つの操作入力部に対し、異なる機能を示す文字を、位置を変えて複数配置しておく。例えば、図９に示す操作入力部３０１Ａの例では、図９（ａ）のように枠の上半分に「＜」を配置するとともに、図９（ｂ）のように枠の下半分に「煮込み」を配置する。また、枠と、枠内の上半分と、枠内の下半分とに、それぞれ独立の発光手段を設ける。そして、パネル２４に何も表示させる必要がないときには、すべての発光手段を消灯することで、パネル２４のみが視認され、デザインをすっきりさせることができる。また、枠、枠内の上半分、及び枠内の下半分に設けられた発光手段を点灯させることで、枠や文字等が使用者に視認される。そのほか、操作入力部３０１Ａ〜３０８Ａを示す枠や文字のうちの一部は、パネル２４の上側から視認されるように印刷にて構成してもよい。例えば、図８（ａ）で図示されている枠や図柄については、パネル２４の裏面に印刷で描いておき、枠の中に表示される文字等については、発光手段の点灯状態を切り替えることで、視認状態を切り替える。このようにすると、発光手段の点灯状態によらず操作入力部３０１Ａ〜３０８Ａの位置は使用者に常時視認され、また、発光手段を減らすことができるためコスト削減できる。
【００７６】
実施の形態３．
実施の形態３では、本発明の電気機器の構成を、図１の炊飯器３００に適用した例を説明する。炊飯器３００には、使用者の操作入力を受け付ける複数の操作入力部を備えた操作パネル３Ａが設けられている。炊飯器３００に設けられる操作パネル３Ａは、操作入力部の具体的な機能及び表示は異なるものの基本的な構成は実施の形態１又は実施の形態２の操作パネル３と同様である。そして、炊飯器３００は、手動デモと自動デモのいずれか又は両方を実行するデモモードを有しており、デモモードにおいて開始トリガーを検出すると、操作パネル３Ａはすべての操作入力部を表示する。このようにすることで、実施の形態１、２と同様の効果を得ることができる。
【００７７】
実施の形態４．
実施の形態４では、本発明の電気機器の構成を、図１の食器洗浄機４００に適用した例を説明する。食器洗浄機４００には、使用者の操作入力を受け付ける複数の操作入力部を備えた操作パネル３Ｂが設けられている。食器洗浄機４００に設けられる操作パネル３Ｂは、操作入力部の具体的な機能及び表示は異なるものの基本的な構成は実施の形態１又は実施の形態２の操作パネル３と同様である。そして、食器洗浄機４００は、手動デモと自動デモのいずれか又は両方を実行するデモモードを有しており、デモモードにおいて開始トリガーを検出すると、操作パネル３Ｂはすべての操作入力部を表示する。このようにすることで、実施の形態１、２と同様の効果を得ることができる。
【００７８】
本発明の電気機器は、図１に示した誘導加熱調理器２００、炊飯器３００、及び食器洗浄機４００のほか、複数の操作入力部の表示が選択的に切り替えられる操作パネルを備えたものであれば、例えば電子レンジや冷蔵庫等の他の電気機器に適用することもでき、同様の作用効果を得ることができる。
【符号の説明】
【００７９】
１  本体、２  天板、３  操作パネル、３Ａ  操作パネル、３Ｂ  操作パネル、４  情報表示装置、５  加熱口、６  グリル、７  制御装置、８  温度検出回路、９  インバータ回路、１０  加熱コイル、１１  グリルヒーター駆動回路、１２  グリルヒーター、１３  触媒ヒーター駆動回路、１４  触媒ヒーター、１５  タッチスイッチ、１６  操作表示装置、１６Ａ  操作表示装置、１７  表示部駆動回路、１７Ａ  表示部駆動回路、１８  ＬＥＤ、１９  表示部駆動回路、２０  液晶画面、２１  音声合成回路、２２  スピーカー、２４  パネル、２５  液晶画面、２６  人感センサ、１００  キッチン、１７１  電源回路、１７２  インターフェース部、１７３  表示用メモリー、１７４  表示コントローラー、１７５  コモンドライバー、１７６  セグメントドライバー、２００  誘導加熱調理器、３００  炊飯器、３０１〜３１２  操作入力部、３０１Ａ〜３０８Ａ  操作入力部、４００  食器洗浄機。
【図１】
2014185789.tif 000003
【図２】
2014185789.tif 000004
【図３】
2014185789.tif 000005
【図４】
2014185789.tif 000006
【図５】
2014185789.tif 000007
【図６】
2014185789.tif 000008
【図７】
2014185789.tif 000009
【図８】
2014185789.tif 000010
【図９】
2014185789.tif 000011